(57)【要約】      （修正有）【課題】運動状態を容易に特定することができるサーボモータの提供。【解決手段】サーボモータは、ケース１、蓋体２、回路板３、発光体４及び導光柱５を備え、ケース１と蓋体２は係止されて収容空間を形成しており、回路板は収容空間内に固定され、発光体は回路板上に設けられ、導光柱の入光面は発光体に近接し、発光面は蓋体２を貫通して、蓋体２の外表面に露出している。該サーボモータが作動するとき、回路板は発光体の発光を制御し、光線は導光体５１、５２を通じて蓋体２の外表面に伝わって、ユーザにサーボモータの蓋体２の外表面の発光状況に基づいてサーボモータの運動状態を知らせ、同時にサーボモータの動作時の外観全体をさらに魅力的にすることができる。【選択図】図２
2018026992.tif 000002
【特許請求の範囲】
【請求項１】
サーボモータであって、ケース、蓋体、回路板、発光体及び導光柱を備え、前記ケースと蓋体は係止されて収容空間を形成しており、前記回路板は前記収容空間内に固定され、前記発光体は前記回路板上に設けられ、前記導光柱の入光面は前記発光体に近接し、発光面は前記蓋体を貫通して前記蓋体の外表面に露出している、ことを特徴とするサーボモータ。
【請求項２】
前記導光柱は、導光本体、及び前記導光本体の側面から延出している少なくとも１つの側導光体を含み、前記導光本体及び側導光体の末端は前記発光面を含み、前記蓋体には、前記導光本体と適合する主導光孔、及び前記側導光体と適合する側導光孔が設けられている、ことを特徴とする請求項１に記載のサーボモータ。
【請求項３】
前記蓋体は、前記サーボモータの出力軸の反対側に位置し、前記蓋体には前記サーボモータの出力軸と同軸に配置されている円筒形の支柱が設けられ、前記主導光孔は前記支柱の上面の中心に設けられている、ことを特徴とする請求項２に記載のサーボモータ。
【請求項４】
前記回路板の中央には、並設されている入力インタフェース及び出力インタフェースが設けられ、前記蓋体には、前記入力インタフェース及び出力インタフェースと適合する取付孔が設けられている、ことを特徴とする請求項３に記載のサーボモータ。
【請求項５】
前記導光柱は３つの側導光体を含み、前記３つの側導光体は「Ｔ」字形で前記導光本体の側面に配置されている、ことを特徴とする請求項４に記載のサーボモータ。
【請求項６】
前記導光本体は、第１導光部、及び前記第１導光部を囲んでいる複数の第２導光部を含み、前記複数の第２導光部は前記第１導光部の周囲に均一に分布されている、ことを特徴とする請求項５に記載のサーボモータ。
【請求項７】
前記第１導光部は円筒状を呈し、断面が環状扇形を呈する４つの第２導光部は、前記第１導光部を中心とする円環に均一に分布されている、ことを特徴とする請求項６に記載のサーボモータ。
【請求項８】
前記発光体は、通電時異なる色の光を発出する複数の発光ダイオードを含む、ことを特徴とする請求項１〜７のいずれかに記載のサーボモータ。
【請求項９】
前記導光柱の発光面はマット面である、ことを特徴とする請求項８に記載のサーボモータ。
【請求項１０】
前記蓋体とケースは、前記発光体が発出する光線を遮るための、光非透過性材料を用いて製造した遮光体を含む、ことを特徴とする請求項９に記載のサーボモータ。
【発明の詳細な説明】
【技術分野】
【０００１】
本発明はロボットの分野に関し、特にサーボモータに関する。
【背景技術】
【０００２】
サーボモータは、ロボットの運動のキー部品の１つである。通常、サーボモータは、ロボットの関節サポートに取り付けられ、ロボットの関節の運動動作を実行するために用いられる。従来のサーボモータは、形状、構造及び機能が単一であり、ロボットの関節の回転だけを実現することができるが、ロボットの運動中にサーボモータの運動状態を容易に特定することができない。
【発明の概要】
【発明が解決しようとする課題】
【０００３】
本発明が解決しようとする技術的問題は、従来のサーボモータの形状および機能が単一であることによってサーボモータの運動状態を容易に特定することができないことに対して、サーボモータを提供することである。
【課題を解決するための手段】
【０００４】
本発明がその技術的問題を解決するために用いる技術案は以下のとおりである。サーボモータは、ケース、蓋体、回路板、発光体及び導光柱を備え、前記ケースと蓋体は係止されて収容空間を形成しており、前記回路板は前記収容空間内に固定され、前記発光体は前記回路板上に設けられ、前記導光柱の入光面は前記発光体に近接し、発光面は前記蓋体を貫通して前記蓋体の外表面に露出している。
【０００５】
好ましくは、前記導光柱は、導光本体、及び前記導光本体の側面から延出している少なくとも１つの側導光体を含み、前記導光本体及び側導光体の末端は前記発光面を含み、前記蓋体には、前記導光本体と適合する主導光孔、及び前記側導光体と適合する側導光孔が設けられている。
【０００６】
好ましくは、前記蓋体は、前記サーボモータの出力軸の反対側に位置し、前記蓋体には、前記サーボモータの出力軸と同軸に配置されている円筒形の支柱が設けられ、前記主導光孔は前記支柱の上面の中心に設けられている。
【０００７】
好ましくは、前記回路板の中央には、並設されている入力インタフェース及び出力インタフェースが設けられ、前記蓋体には、前記入力インタフェース及び出力インタフェースと適合する取付孔が設けられている。
【０００８】
好ましくは、前記導光柱は３つの側導光体を含み、前記３つの側導光体は「Ｔ」字形で前記導光本体の側面に配置されている。
【０００９】
好ましくは、前記導光本体は、第１導光部、及び前記第１導光部を囲んでいる複数の第２導光部を含み、前記複数の第２導光部は前記第１導光部の周囲に均一に分布されている。
【００１０】
好ましくは、前記第１導光部は円筒状を呈し、断面が環状扇形を呈する４つの第２導光部は、前記第１導光部を中心とする円環上に均一に分布されている。
【００１１】
好ましくは、前記発光体は、通電時異なる色の光を発出する複数の発光ダイオードを含む。        
好ましくは、前記導光柱の発光面はマット面である。
【００１２】
好ましくは、前記蓋体とケースは、前記発光体が発出する光線を遮るための、光非透過性材料を用いて製造した遮光体を含む。
【発明の効果】
【００１３】
従来の技術に対し、本発明は以下の利点を有する。本発明によるサーボモータは、ケース、蓋体、回路板、発光体及び導光柱を備える。ケースと蓋体は係止されて収容空間を形成しており、回路板は収容空間内に固定され、発光体は回路板上に設けられ、導光柱の入光面は発光体に近接し、発光面は蓋体を貫通して蓋体の外表面に露出している。サーボモータが作動するとき、回路板は発光体の発光を制御し、光線は導光体を通じて蓋体の外表面に伝わって、ユーザにサーボモータの蓋体の外表面の発光に基づいてサーボモータの運動状態を知らせ、同時にサーボモータの動作時の外観全体をさらに魅力的にすることができる。
【図面の簡単な説明】
【００１４】
以下、添付図面と実施例を結び付けて本発明に対して更に説明する。
【図１】図１は、本発明の実施例におけるサーボモータの構造模式図である。
【図２】図２は、本発明の実施例におけるサーボモータの構造分解図である。
【発明を実施するための形態】
【００１５】
本発明の技術的特徴、目的及び効果をさらに明瞭に理解するために、添付の図面を参照しながら本発明の具体的な実施形態を説明する。
【００１６】
図１と図２は本実施例におけるサーボモータを示す。該サーボモータはロボットに取り付けられ、ロボットの運動を制御するために用いられる。具体的に、該サーボモータは、ケース１、蓋体２、回路板３、発光体４及び導光柱５を備える。ケース１と蓋体２は係止されて収容空間を形成する。回路板３は収容空間内に固定され、例えば、回路板３は収容空間内のケース１に固定されてもよい。発光体４は回路板３に設けられている。導光柱５の入光面は発光体４に近接し、発光面は蓋体２を貫通して蓋体２の外表面に露出して、発光体４が発出する光線をさらに均一にし、かつ特定の方向へ放散させる。本実施例において、導光柱５の発光面はマット面であり、導光柱５を通過する光線をさらに均一にすることができる。サーボモータが作動するとき、回路板３は発光体４の発光を制御し、光線は導光柱５を通じて蓋体２の外表面に漏れることによって、ユーザにサーボモータの蓋体の外表面の発光状況に基づいてサーボモータの運動状態を知らせ、同時にサーボモータの外観全体を魅力的にすることができる。
【００１７】
本実施例において、発光体４は、通電時異なる色の光を発出する複数の発光ダイオード４１を含む。発光ダイオード４１はＬＥＤランプであってもよく、該ＬＥＤランプはサーボモータの異なる運動状態に応じて異なる色の光線、例えば赤色光、黄色光、青色光、緑色光、白色光、ピンク色光又は紫色光などを発出して、ユーザに異なる色の光線に基づいてサーボモータの運動状態を確定可能にさせ、かつサーボモータが取り付けられたロボットの作動中の外観をさらによく、さらに魅力的にする。
【００１８】
本実施例において、発光体４は１つ又は２つ設置されてもよい。１つ又は２つの発光体４は、同じ回路板３に設けられてもよく、それぞれ異なる回路板３に設けられてもよい。各発光体４には、対応して１つの導光柱５が設けられて、発光体４が発出する光線をさらに均一、柔らかくし、且つ特定の方向へ放散させて、ユーザに導光体の発光角度に基づいてサーボモータの運動状態を知らせる。
【００１９】
導光柱５は導光本体５１及び導光本体５１の側面から延出する少なくとも１つの側導光体５２を含み、導光本体５１と側導光体５２の末端はいずれも発光面を含む。相応に、蓋体２には導光本体５１と適合する、導光本体５１が延出するための主導光孔２１、及び側導光体５２と適合する側導光体５２が延出するための側導光孔２２が設けられている。即ち、導光本体５１の末端の発光面は主導光孔２１内に位置し、側導光体５２の発光面は側導光孔２２内に位置する。具体的に、導光本体５１の主導光孔２１に位置する発光面のサイズ及び形状は、主導光孔２１のサイズ及び形状と適合しており、側導光体５２の側導光孔２２に位置する発光面のサイズ及び形状は、側導光孔２２のサイズ及び形状と適合する。
【００２０】
本実施例において、導光柱５は３つの側導光体５２を含み、３つの側導光体５２は「Ｔ」字形で導光本体５１の３つの側面に配置されている。相応に、蓋体２は略直方体状を呈し、その隣接する側面は互いに直交する。蓋体２の３つの側面にはそれぞれ３つの側導光体５２と適合する側導光孔２２が設けられている。主導光孔２１は蓋体２の天板に設けられ、側導光孔２２は蓋体２の前側、後側、左側又は右側に設けられる。具体的に、各側導光体５２の側導光孔２２から延出する発光面は円形、矩形、角丸長方形又は楕円形などの形状を呈する。側導光体５２の側導光孔２２に位置する発光面のサイズ及び形状は側導光孔２２のサイズ及び形状と適合するため、側導光孔２２は対応して円形、矩形、角丸長方形又は楕円形などの形状を呈する。
【００２１】
本実施例において、導光柱５は、導光本体５１とそれぞれ導光本体５１の前側、左側及び後側から延出する側導光体５２とを含むため、相応に、蓋体２の前側、左側及び後側にはそれぞれ側導光体５２と適合する側導光孔２２が設けられている。３つの側導光体５２は３つの側導光孔２２と適合して、ケース１と蓋体２が形成する収容空間内の導光柱５が変移することを回避する。
【００２２】
本発明の１つの実施形態において、導光本体５１は、第１導光部５１１、及び第１導光部５１１を囲んでいる複数の第２導光部５１２を含み、複数の第２導光部５１２は第１導光部５１１の周囲に均一に分布されている。具体的に、第１導光部５１１は円筒状を呈しており、横断面が環状扇形を呈する４つの第２導光部５１２は、第１導光部５１１を中心とする円環に均一に分布されている。相応に、蓋体２における主導光孔２１は、第１導光部５１１が延出するための、第１導光部５１１の形状及びサイズと適合する第１導光孔２１１と、第２導光部５１２が延出するための、第２導光部５１２の形状及びサイズと適合する第２導光孔２１２とを含む。本実施例におけるサーボモータは２つの導光柱５を含み、且つ２つの導光柱５の導光本体５１の構造が一致し、量産性に優れ、製造コストの節約に有利になる。
【００２３】
本発明の別の実施形態において、導光本体５１は、直方体状、立方体状又は円筒状などの形状を呈する第３導光部５１３を含む。第３導光部５１３の主導光孔２１から延出する発光面は長方形、正方形又は円形を呈する。相応に、主導光孔２１と第３導光部５１３の発光面とは、形状とサイズが適合する。本実施例において、２つの導光柱５の導光本体５１の構造が一致し、量産性に優れ、製造コストの節約に有利になる。
【００２４】
本発明の別の実施形態において、２つの導光柱５における導光本体５１の構造は一致しない。図２に示すように、導光本体５１は、第１導光部５１１、及び第１導光部５１１を囲んでいる複数の第２導光部５１２を含み、複数の第２導光部５１２は第１導光部５１１の周囲に均一に分布されている。具体的に、第１導光部５１１は円筒状を呈しており、横断面が環状扇形を呈する４つの第２導光部５１２は、第１導光部５１１を中心とする円環に均一に分布されている。相応に、蓋体２における主導光孔２１は、第１導光部５１１が延出するための、第１導光部５１１の形状及びサイズと適合する第１導光孔２１１と、第２導光部５１２が延出するための、第２導光部５１２の形状及びサイズと適合する第２導光孔２１２とを含む。他の導光本体５１は直方体状、立方体状又は円筒状を呈する第３導光部５１３を含む。第３導光部５１３の主導光孔２１から延出する発光面は長方形、正方形又は円形を呈する。相応に、主導光孔２１と第３導光部５１３の発光面とは、形状とサイズが適合する。本実施例において、２つの導光柱５の導光本体５１の構造は、主導光孔２１の発光面の形状に基づいて２つの導光柱５を区別することを容易にし、さらにサーボモータの運動状態を確認することを容易にする。
【００２５】
本願における導光柱５は光透過性材料からなり、任意形状に設けられてもよい。ケース１と蓋体２は、前記発光体４が発出する光線を遮るための、光非透過性材料を用いて製造した遮光体を含む。具体的に、発光体４が作動するとき、光線が導光柱５の作用により、蓋体２の主導光孔２１又は側導光孔２２内の発光面上だけで発光し、他の位置で発光しないことを保証して、発光体４が発出する光線を特定の方向に放射させ、ユーザに各発光面の発光角度に基づいてサーボモータの運動状態をさらに容易に知らせるために、蓋体２における遮光体は、主導光孔２１及び側導光孔２２以外の位置にある。
【００２６】
本実施例において、サーボモータは、モーター、回路板、減速ギヤ組、出力軸及びセンサーを備え、モーター、回路板、減速ギヤ組及びセンサーは、蓋体２とケース１からなる収容空間内に設けられている。蓋体２は、サーボモータの出力軸（図示せず）の反対側に位置する。蓋体２には、サーボモータの出力軸と同軸に配置されている円筒形の支柱２３が設けられ、前記円筒形の支柱２３は中空構造である。主導光孔２１は、支柱２３の天面の中心に設けられている。本実施例におけるサーボモータがロボットの関節に用いられる場合、ロボットスケルトンを構成する連結部材は、サーボモータの出力軸と支柱２３を回転軸として回転することができ、ロボットの組立を容易にする。回路板３の中央には、並設されている入力インタフェース及び出力インタフェース３１がさらに設けられている。蓋体２には、入力インタフェース及び出力インタフェース３１と適合する取付孔２４が設けられ、取付孔２４は、２つの導光本体５１に対応する主導光孔２１の中央に設けられている。
【００２７】
上記の具体的な実施例を参照して本発明について詳述したが、本発明の範囲を逸脱することなく、本発明に修正または同等置換することが可能であることは、当業者であれば理解できることである。さらに、特定の場合又は具体的な状況に対して、本発明の範囲を逸脱することなく、本発明に様々な修正を行うことができる。従って、本発明は開示された具体的な実施例に限定されなく、本発明の特許請求の範囲内であるすべての実施形態を含むべきである。    
【符号の説明】
【００２８】
１ ケース
２  蓋体
２１  主導光孔
２１１  第１導光孔
２１２  第２導光孔
２２  側導光孔
２３  支柱
２４  取付孔
３  回路板
３１  入力インタフェース及び出力インタフェース
４  発光体
４１  発光ダイオード
５  導光柱
５１  導光本体
５１１  第１導光部
５１２  第２導光部
５１３  第３導光部
５２  側導光体
【図１】
2018026992.tif 000003
【図２】
2018026992.tif 000004
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
サーボモータであって、ケース、蓋体、回路板、発光体及び導光柱を備え、前記ケースと蓋体は係止されて収容空間を形成しており、前記回路板は前記収容空間内に固定され、前記発光体は前記回路板上に設けられ、前記導光柱の入光面は前記発光体に近接し、発光面は前記蓋体を貫通して前記蓋体の外表面に露出しており、
前記導光柱は、導光本体、及び前記導光本体の側面から延出している少なくとも１つの側導光体を含み、前記導光本体及び側導光体の末端は前記発光面を含み、前記蓋体には、前記導光本体と適合する主導光孔、及び前記側導光体と適合する側導光孔が設けられている、ことを特徴とするサーボモータ。
【請求項２】
前記蓋体は、前記サーボモータの出力軸の反対側に位置し、前記蓋体には前記サーボモータの出力軸と同軸に配置されている円筒形の支柱が設けられ、前記主導光孔は前記支柱の上面の中心に設けられている、ことを特徴とする請求項１に記載のサーボモータ。
【請求項３】
前記回路板の中央には、並設されている入力インタフェース及び出力インタフェースが設けられ、前記蓋体には、前記入力インタフェース及び出力インタフェースと適合する取付孔が設けられている、ことを特徴とする請求項２に記載のサーボモータ。
【請求項４】
前記導光柱は３つの側導光体を含み、前記３つの側導光体は「Ｔ」字形で前記導光本体の側面に配置されている、ことを特徴とする請求項３に記載のサーボモータ。
【請求項５】
前記導光本体は、第１導光部、及び前記第１導光部を囲んでいる複数の第２導光部を含み、前記複数の第２導光部は前記第１導光部の周囲に均一に分布されている、ことを特徴とする請求項４に記載のサーボモータ。
【請求項６】
前記第１導光部は円筒状を呈し、断面が環状扇形を呈する４つの第２導光部は、前記第１導光部を中心とする円環に均一に分布されている、ことを特徴とする請求項５に記載のサーボモータ。
【請求項７】
前記発光体は、通電時異なる色の光を発出する複数の発光ダイオードを含む、ことを特徴とする請求項１〜６のいずれかに記載のサーボモータ。
【請求項８】
前記導光柱の発光面はマット面である、ことを特徴とする請求項７に記載のサーボモータ。
【請求項９】
前記蓋体とケースは、前記発光体が発出する光線を遮るための、光非透過性材料を用いて製造した遮光体を含む、ことを特徴とする請求項８に記載のサーボモータ。